(57)【要約】【課題】建物内に放置等された移動通信装置を好適に探し出すことができる建物内探索システムを提供する。【解決手段】防犯システム２０は、防犯管理装置３０と、各建物開口部周辺に設けられた複数のセンサ装置３１とを備える。防犯管理装置３０はメインコントローラ３３（通信部３４を有する）を備え、メインコントローラ３３は信号処理回路４７を備えている。一方、各センサ装置３１はセンサコントローラ４１（センサ通信部４２を有する）を備えている。各センサコントローラ４１から送信される探索信号がメインコントローラ３３により受信されると、その探索信号の処理が信号処理回路４７により行われ、メインコントローラ３３はその処理結果に基づいて探索信号が携帯電話機４５から送信される信号と電波干渉しているか否かを判定する。そして、その判定結果に基づいて、携帯電話機４５が各コントローラ３３，４１の間に存在しているか否かを検出する。【選択図】図２
2010266914.tif 000002
【特許請求の範囲】
【請求項１】
無線通信機能を有する移動通信装置を対象物として建物内で前記移動通信装置を探索する建物内探索システムであって、
互いに通信可能な第１通信部及び第２通信部と、
前記第１通信部及び第２通信部の一方から送信した無線信号を他方で受信した場合に、その受信信号に含まれる外乱情報に基づいて前記移動通信装置を探索する探索手段と、
を備えることを特徴とする建物内探索システム。
【請求項２】
前記第２通信部は、前記第１通信部を囲むようにして建物の複数箇所に設けられており、
前記探索手段による探索に際し、前記第１通信部と前記第２通信部との間の無線通信を各第２通信部ごとに実施することを特徴とする請求項１に記載の建物内探索システム。
【請求項３】
前記探索手段は、前記第１通信部及び第２通信部のいずれかで受信した受信信号について、電波干渉が生じているかどうかに基づいて前記探索を実施することを特徴とする請求項１又は２に記載の建物内探索システム。
【請求項４】
前記第１通信部及び第２通信部の一方から他方に所定周波数の無線信号を送信する探索システムであり、
前記第１通信部及び第２通信部のいずれかで受信した受信信号について、前記所定周波数に基づいて設定される周波数域の信号を抽出するフィルタ手段を備え、
前記探索手段は、前記フィルタ手段による信号抽出結果に基づいて前記探索を実施することを特徴とする請求項１乃至３のいずれか一項に記載の建物内探索システム。
【請求項５】
前記信号抽出結果に基づいて、探索された移動通信装置の種別を特定する手段を備えることを特徴とする請求項４に記載の建物内探索システム。
【請求項６】
前記第２通信部は、建物の複数箇所に設けられた防犯センサの付近に設けられ、該防犯センサの検出結果を送信するものであることを特徴とする請求項１乃至５のいずれか一項に記載の建物内探索システム。
【請求項７】
前記第２通信部は、建物の外壁部に設けられた複数の開口部にそれぞれ設けられていることを特徴とする請求項６に記載の建物内探索システム。
【請求項８】
制御モードとして、防犯モードと探索モードとが設定されており、
これら各制御モードを切り替えるためのモード切替手段を備え、
前記探索手段は、前記探索モードに設定されたことを条件として、前記移動通信装置の探索を実施することを特徴とする請求項６又は７に記載の建物内探索システム。
【請求項９】
建物内における複数箇所に設けられ、光又は音を発することにより報知を行う報知手段と、
前記探索手段により前記移動通信装置が探索された場合に、前記複数の報知手段のうちで、当該探索された移動通信装置から最も近い位置に配置されている報知手段に報知処理を行わせる報知制御手段と、
を備えることを特徴とする請求項１乃至８のいずれか一項に記載の建物内探索システム。
【発明の詳細な説明】
【技術分野】
【０００１】
本発明は、建物内探索システムに関する。
【背景技術】
【０００２】
住宅等の建物では、無線機能を有する電子キーを用い、その電子キーを所持した居住者が建物のドアに近づくと、ドアの施解錠が自動で行われる施解錠システムが実用化されている。通常、電子キーは建物内では決まった場所に置かれ管理されるものであるが、ときに衣服のポケットの中、バッグの中、あるいは財布の中等に入れっぱなしのままどこか別の場所に置き忘れられてしまう場合がある。かかる場合、電子キーを短時間で探し出すのは困難であり、外出の予定が間近に迫っている場合等には困ったこととなる。
【０００３】
そこで、かかる問題を解決するものとして、電子キーにブザー等の鳴動手段を設け、外部からの操作に基づいて送信された呼出信号を電子キーが受信した場合に鳴動手段を鳴動させる技術が開示されている（例えば特許文献１）。これによれば、音で電子キーの在りかを知らせることができるため、容易に電子キーを見つけ出すことができるとしている。
【先行技術文献】
【特許文献】
【０００４】
【特許文献１】特開２００７−２６２７９２号公報
【発明の概要】
【発明が解決しようとする課題】
【０００５】
しかしながら、上記特許文献１の技術では、音が鳴っている場所を特定するためにまずその音がどの方向から聞こえるのかを確認し、それからその音が鳴っている方向へ歩きながら音の強弱を頼りに場所を特定していくこととなるため、電子キーの在りかを短時間で突き止めるのは困難であると考えられる。また、電子キーを衣服のポケットの中やバッグの中等に入れっぱなしにしている場合には、電子キー（詳細には鳴動手段）の鳴動音を聞きとるのが困難となり、そのため電子キーの在りかを見つけ出すことがとりわけ困難となるおそれがある。
【０００６】
なお、かかる問題は、電子キーを探し出す場合のみならず、携帯電話機等その他の移動通信装置を探し出す場合においても同様に生じることが想定される。
【０００７】
本発明は、上記事情に鑑みてなされたものであり、建物内に放置等された移動通信装置を好適に探し出すことができる建物内探索システムを提供することを主たる目的とするものである。
【課題を解決するための手段】
【０００８】
上記課題を解決すべく、第１の発明の建物内探索システムは、無線通信機能を有する移動通信装置を対象物として建物内で前記移動通信装置を探索する建物内探索システムであって、互いに通信可能な第１通信部及び第２通信部と、前記第１通信部及び第２通信部の一方から送信した無線信号を他方で受信した場合に、その受信信号に含まれる外乱情報に基づいて前記移動通信装置を探索する探索手段と、を備えることを特徴とする。
【０００９】
本発明によれば、２つの通信部の間に探索対象物である移動通信装置が存在する場合、その移動通信装置から無線信号が発信されると、その無線信号が、それら２つの通信部間での無線信号に重畳することが考えられる。この場合、２つの通信部のうち受信側の通信部では、外乱情報が含まれた状態で無線信号を受信することになり、これにより２つの通信部の間に移動通信装置が存在することを判定することができる。したがって、建物内に放置等された移動通信装置を好適に探し出すことができる。
【００１０】
第２の発明の建物内探索システムは、第１の発明において、前記第２通信部は、前記第１通信部を囲むようにして建物の複数箇所に設けられており、前記探索手段による探索に際し、前記第１通信部と前記第２通信部との間の無線通信を各第２通信部ごとに実施することを特徴とする。
【００１１】
本発明によれば、第１通信部を囲むようにして建物の複数箇所に第２通信部が設けられており、移動通信装置の探索に際して、第１通信部と第２通信部との間の無線通信がそれら各第２通信部ごとに実施される。そのため、第１通信部と、いずれの第２通信部との間での無線信号に、移動通信装置からの無線信号が重畳しているのかを判定することで、移動通信装置が第１通信部といずれの第２通信部との間に存在しているのかを判定することができる。これにより、建物内における移動通信装置の在りかを具体的につきとめることができる。
【００１２】
第３の発明の建物内探索システムは、第１又は第２の発明において、前記探索手段は、前記第１通信部及び第２通信部のいずれかで受信した受信信号について、電波干渉が生じているかどうかに基づいて前記探索を実施することを特徴とする。
【００１３】
一般に、無線信号の送受信を行っている２つの通信部の間に移動通信装置が存在している場合には、２つの通信部間における無線信号が移動通信装置から送信される無線信号と電波干渉することが想定される。そこで、本発明では、その点に着目し、２つの通信部間における無線信号が移動通信装置からの無線信号と電波干渉しているか否かを判定し、その判定に基づいて移動通信装置の探索を実施することとしている。これにより、移動通信装置を具体的に探索することができる。
【００１４】
第４の発明の建物内探索システムは、第１乃至第３のいずれかの発明において、前記第１通信部及び第２通信部の一方から他方に所定周波数の無線信号を送信する探索システムであり、前記第１通信部及び第２通信部のいずれかで受信した受信信号について、前記所定周波数に基づいて設定される周波数域の信号を抽出するフィルタ手段を備え、前記探索手段は、前記フィルタ手段による信号抽出結果に基づいて前記探索を実施することを特徴とする。
【００１５】
本発明によれば、第１通信部及び第２通信部の一方から所定周波数の無線信号が送信され、他方の通信部において受信された受信信号について、所定周波数に基づいて設定される周波数域の信号がフィルタ手段により抽出される。したがって、フィルタ手段により抽出される信号の周波数域を移動通信装置から送信される無線信号の周波数を含むように設定しておけば、両通信部間での無線信号に移動通信装置からの無線信号が重畳した場合に、その重畳した無線信号から移動通信装置の無線信号のみを抽出することができる。そして、この信号抽出結果に基づいて移動通信装置の探索が実施されるため、複数種の移動通信装置が建物内に放置されている場合でも、探索対象を絞って移動通信装置を探索することができる。
【００１６】
第５の発明の建物内探索システムは、第４の発明において、前記信号抽出結果に基づいて、探索された移動通信装置の種別を特定する手段を備えることを特徴とする。
【００１７】
一般に移動通信装置の種別が異なれば、発信信号の形態（周波数等）が相違することが考えられる。そこで、本発明では、フィルタ手段による信号抽出結果に基づいて、つまりフィルタ手段により抽出された信号の周波数に基づいて、探索された移動通信装置の種別を特定することとしている。これにより、複数種の移動通信装置が建物内に放置等されている場合に、いずれの種類の移動通信装置が探索されたのかを判別することができる。
【００１８】
第６の発明の建物内探索システムは、第１乃至第５のいずれかの発明において、前記第２通信部は、建物の複数箇所に設けられた防犯センサの付近に設けられ、該防犯センサの検出結果を送信するものであることを特徴とする。
【００１９】
住宅等の建物では、建物における複数箇所に防犯センサが設けられている場合がある。この種の防犯センサは、建物内で異常を検出した場合に、同センサ付近に設けられたセンサ通信部よりその検出結果をモニタ（親機）等に向けて送信し、ユーザに異常があったことを報知するのが一般的である。そこで、本発明では、このセンサ通信部を第２通信部として用いる構成としている。したがって、例えば防犯システムがすでに構築されセンサ通信部が建物に既設されていれば、このセンサ通信部を利用して探索システムを構築することができる。この場合、上記各発明の効果を簡易な構成で実現できる。また、通常は、異常時においてしか使用されることのない上記センサ通信部を有効利用することもできる。
【００２０】
第７の発明の建物内探索システムは、第６の発明において、前記第２通信部は、建物の外壁部に設けられた複数の開口部にそれぞれ設けられていることを特徴とする。
【００２１】
一般に、不審者は外壁部に設けられた開口部を通じて建物内へ侵入するため、防犯センサはそれら開口部に設けられている場合がある。そこで、本実施形態では、開口部に設けられている防犯センサ付近にあるセンサ通信部を第２通信部として用いる構成としている。この場合、各第２通信部が建物の外周部に配置されるため、第１通信部と第２通信部との間の通信が建物の外周部と建物の内周側との間で実施される。したがって、建物内におけるほぼ全域を探索対象として移動通信装置を探索することができる。
【００２２】
第８の発明の建物内探索システムは、第６又は第７の発明において、制御モードとして、防犯モードと探索モードとが設定されており、これら各制御モードを切り替えるためのモード切替手段を備え、前記探索手段は、前記探索モードに設定されたことを条件として、前記移動通信装置の探索を実施することを特徴とする。
【００２３】
本発明によれば、モード切替手段により制御モードが探索モードに設定されている場合に限り、探索手段による移動通信装置の探索が実施される。そのため、防犯制御が実行される防犯モード設定時において、突然移動通信装置の探索が実施されるのを回避することができる。これにより、防犯システムに移動通信装置の探索機能を設けた場合でも、防犯性を確保することができる。
【００２４】
第９の発明の建物内探索システムは、第１乃至第８のいずれかの発明において、建物内における複数箇所に設けられ、光又は音を発することにより報知を行う報知手段と、前記探索手段により前記移動通信装置が探索された場合に、前記複数の報知手段のうちで、当該探索された移動通信装置から最も近い位置に配置されている報知手段に報知処理を行わせる報知制御手段と、を備えることを特徴とする。
【００２５】
本発明によれば、探索手段により移動通信装置が探索された場合に、建物内における複数箇所に設けられた報知手段のうちで、その探索された移動通信装置から最も近い位置に配置されている報知手段により光又は音による報知が行われる。これにより、ユーザは移動通信装置の在りかを容易に知ることができる。
【図面の簡単な説明】
【００２６】
【図１】建物の間取りを示す平面図。
【図２】防犯システムを示す全体構成図。
【図３】信号の波形を示す図。
【図４】対応機探索処理を示すフローチャート。
【図５】非対応機探索処理を示すフローチャート。
【発明を実施するための形態】
【００２７】
以下に、本発明を具体化した一実施の形態について図面を参照しつつ説明する。なお、図１は建物の間取りを示す平面図である。
【００２８】
図１に示すように、敷地１１には、建物１０が設けられている。建物１０は、主なスペースとして玄関１２、リビング１３、キッチン１４、和室１５、トイレ１６及び浴室１７等を備えている。建物１０の外周部には、屋内外を連通する建物開口部１８が複数設けられている。建物開口部１８としては、玄関１２に設けられた玄関口１８ａや窓が配設されている窓開口１８ｂが設けられている。
【００２９】
玄関口１８ａには、玄関ドア２２が設けられている。玄関ドア２２は、例えば回動式のドアであり、この玄関ドア２２が回動されることにより玄関口１８ａが開閉される。玄関ドア２２には、施解錠装置２３が設けられている。施解錠装置２３は、錠前を電気的に施解錠することにより玄関ドア２２の施錠及び解錠（ロック及びアンロック）を行う装置である。施解錠装置２３は、ユーザにより携帯される電子キー２４との間で無線通信を行う通信機能を有している。電子キー２４には、当該電子キー２４固有の識別情報としてのキーＩＤコードが予め記憶されており、施解錠装置２３はこの電子キー２４から送信されるＩＤコード信号に基づいて、施解錠処理を実行する。
【００３０】
建物１０には、防犯性を高めるために防犯システム２０が設けられている。本防犯システム２０は、建物１０への侵入者を検知した場合に、表示灯を点滅させて侵入者を威嚇することでその侵入者に対し建物１０からの退出を促すものである。防犯システム２０は、当該システム２０を統括管理するための防犯管理装置３０と、複数のセンサ装置３１とを備えている。防犯管理装置３０はリビング１３等に設置され、複数のセンサ装置３１はそれぞれ各建物開口部１８の付近に設置されている。なお、本防犯システム２０において防犯管理装置３０が親機に相当し、各センサ装置３１が子機に相当する。
【００３１】
次に、これら各装置３０，３１からなる防犯システム２０の電気的構成について図２に基づいて説明する。なお、図２は防犯システム２０を示す全体構成図である。
【００３２】
図２に示すように、本防犯システム２０において、防犯管理装置３０は、探索手段としてのメインコントローラ３３と、ユーザにより操作される操作部３５と、ＬＥＤ等を有してなる表示部３６とを備えている。メインコントローラ３３は、ＣＰＵ等を有する周知のマイクロコンピュータを備えて構成されており、操作部３５及び表示部３６と接続されている。
【００３３】
メインコントローラ３３は、第１通信部としての通信部３４を備えている。通信部３４は、各センサ装置３１との間で無線通信を行うものである。メインコントローラ３３は、この通信部３４を介して各センサ装置３１との間で無線通信が可能とされている。
【００３４】
操作部３５は、本防犯システム２０における各種操作を行うための操作スイッチ及び操作ボタンを有している。操作スイッチ又は操作ボタンが操作されると、その操作に応じた操作信号が操作部３５から適宜メインコントローラ３３に入力される。
【００３５】
表示部３６は、ＬＥＤ等からなる複数の発光部３６ａを有している。これら各発光部３６ａはそれぞれ、各センサ装置３１に対応付けられており、例えばいずれかのセンサ装置３１により人の侵入が検出された場合等に、そのセンサ装置３１に対応する発光部３６ａが点灯したり点滅したりするようになっている。
【００３６】
一方、各センサ装置３１はそれぞれ、センサコントローラ４１と、防犯センサとしての人検知センサ４３と、報知手段としての表示灯４４とを備えている。センサコントローラ４１は、ＣＰＵ等を有する周知のマイクロコンピュータを備えて構成されており、人検知センサ４３及び表示灯４４と接続されている。
【００３７】
人検知センサ４３は、所定エリアを検知エリアとして人が存在することを検知するセンサであり、例えば赤外線センサ等からなる。本実施形態では、各人検知センサ４３の検知エリアがそれぞれ各々のセンサ４３付近の建物開口部１８を含むように設定されており、これにより建物開口部１８を通じて建物１０内へ出入りする人を検知することが可能となっている。人検知センサ４３は、センサコントローラ４１に対して逐次検知信号を出力する。
【００３８】
表示灯４４は、点滅又は点灯することにより警告等を報知する発光装置である。表示灯４４は、例えばＬＥＤ等を備えて構成されている。センサコントローラ４１に人検知センサ４３から検知信号が入力されると、センサコントローラ４１は表示灯４４に対して点滅信号を出力する。これにより、表示灯４４が点滅するため、建物１０内への侵入者に対して警告を報知することができる。
【００３９】
センサコントローラ４１は、第２通信部としてのセンサ通信部４２を備えている。センサ通信部４２は、防犯管理装置３０のメインコントローラ３３（詳細には通信部３４）との間で無線通信を行うものである。センサコントローラ４１は、このセンサ通信部４２を介してメインコントローラ３３との間で通信可能とされている。センサコントローラ４１に人検知センサ４３から検知信号が入力されると、センサコントローラ４１はメインコントローラ３３に検知信号を送信する。この検知信号がメインコントローラ３３により受信されると、メインコントローラ３３はその検知信号に基づいて、表示部３６における各発光部３６ａのうち該当する発光部３６ａを発光させる。これにより、どの建物開口部１８より侵入者が侵入したのかをユーザに知らせることができる。
【００４０】
ところで、本防犯システム２０は、上記において説明した防犯制御処理を実行する他に、建物１０内に放置された電子キー２４等の移動通信機を探索する探索制御処理を行うことができる。本防犯システム２０は、その点に特徴を有しており、以下、その詳細を説明する。
【００４１】
防犯管理装置３０の操作部３５には、防犯システム２０の制御モードの切替を行うためのモード切替スイッチ３５ａが設けられている。本防犯システム２０には、制御モードとして、上述した防犯制御が実行される通常モードと移動通信機の探索制御が実行される探索モードとが設定されており、この切替スイッチ３５ａによりこれら各制御モードへの切替えが可能となっている。具体的には、切替スイッチ３５ａが切替操作されると、その切替操作に応じたモード信号が操作部３５からメインコントローラ３３に入力され、メインコントローラ３３はそのモード信号に基づいて制御モードの切替を行う。
【００４２】
操作部３５にはさらに、対応機ボタン３５ｂと、非対応機ボタン３５ｃとが設けられている。本防犯システム２０では、電子キー２４等本システム２０に対応している移動通信機（以下、対応機という）の他、本システム２０に対応していないその他の移動通信機（以下、非対応機という）についても探索が可能となっており、対応機ボタン３５ｂが対応機の探索を開始するためのボタン、非対応機ボタン３５ｃが非対応機の探索を開始するためのボタンとなっている。なおここで、対応機とは、本防犯システム２０に予め登録されている移動通信機をいい、非対応機とは、本防犯システム２０に登録されていない移動通信機をいう。但し、本防犯システム２０により探索可能な非対応機は、センサ通信部４２から送信される信号に応答して何らかの信号を発信するもの、又は何らかの信号を常時もしくは定期的に発信するものに限られる。なお、本実施形態では、非対応機として、ユーザにより携帯される携帯電話機４５を想定している。
【００４３】
探索モード設定時において上記各ボタン３５ｂ，３５ｃのうちいずれかが操作されると、そのボタン操作に応じた操作信号が操作部３５からメインコントローラ３３に入力される。メインコントローラ３３は、その操作信号に基づいて対応機又は非対応機の探索処理を開始する。メインコントローラ３３は対応機の探索処理の開始とともに、各センサコントローラ４１に対して対応機探索開始信号を送信する。この信号が各センサコントローラ４１により受信されると、各センサコントローラ４１では探索モードに移行するとともに対応機探索処理が開始される。一方、メインコントローラ３３は非対応機の探索処理の開始とともに、各センサコントローラ４１に対して非対応機探索開始信号を送信する。この信号が各センサコントローラ４１により受信されると、各センサコントローラ４１では探索モードに移行するとともに非対応機探索処理が開始される。
【００４４】
各センサ装置３１のセンサ通信部４２は、ユーザの携帯する電子キー２４との間で無線通信が可能とされている。各センサ通信部４２はそれぞれ、同通信部４２を中心とした半径数ｍのエリアを通信エリアとして電子キー２４と通信可能とされている。
【００４５】
対応機の探索処理時において、各センサコントローラ４１はそれぞれ、各々の通信エリアにリクエスト信号を送信する。ここで、電子キー２４がいずれかのセンサ装置３１の近く（つまりセンサコントローラ４１の通信エリア）に存在する場合には、電子キー２４によりリクエスト信号が受信され、電子キー２４はその応答としてＩＤコード信号を送信する。そして、このＩＤコード信号が電子キー２４の近くのセンサコントローラ４１により受信されると、同センサコントローラ４１は電子キー２４の位置を検出する。
【００４６】
センサコントローラ４１の記憶部４１ａには、識別情報としてのセンサコード情報が予め記憶されている。センサコード情報は、各センサ装置３１（各センサコントローラ４１）を識別するための情報であり、各記憶部４１ａにはそれぞれ各々のセンサ装置３１に対応した個別のセンサコードが記憶されている。センサコントローラ４１は、電子キー２４からＩＤコード信号を受信した場合、電子キー２４の位置を検出する他に、センサコード信号をメインコントローラ３３に送信する。メインコントローラ３３は、このセンサコード信号を受信すると、受信したセンサコード信号に基づいて電子キー２４の位置を検出する。つまり、メインコントローラ３３は、どのセンサ装置３１からセンサコード信号を受信したのかを判定し、その判定に基づいて電子キー２４の位置を検出する。
【００４７】
防犯管理装置３０のメインコントローラ３３は記憶部３３ａを備えている。記憶部３３ａには、識別情報としてのセンサコード情報が予め記憶されている。記憶部３３ａには複数のセンサコード情報が記憶されており、これら各センサコード情報はそれぞれ各センサコントローラ４１の記憶部４１ａに記憶されている各々のセンサコード情報に対応したものである。
【００４８】
非対応機の探索処理時において、メインコントローラ３３は、各センサコントローラ４１にリクエスト信号を送信する。このリクエスト信号には、各センサ装置３１のうちいずれかのセンサ装置３１に対応したセンサコード情報が含まれている。各センサコントローラ４１はリクエスト信号を受信すると、リクエスト信号に含まれるセンサコード情報が記憶部４１ａに記憶されているセンサコード情報と一致しているか否かの認証を行う。この認証処理の結果、一致していると判定された場合には、センサコントローラ４１は、リクエスト信号の応答として所定周波数の探索信号を送信し、この探索信号がメインコントローラ３３により受信される。つまり、メインコントローラ３３には、リクエスト信号の応答として、そのリクエスト信号に含まれたセンサコード情報に対応したセンサコントローラ４１からの探索信号が入力される。なお、探索信号は、探索対象となる携帯電話機４５を探索するために発信される信号であり、同信号には、携帯電話機４５の発信信号の周波数とは異なる周波数が設定されている。
【００４９】
そして、メインコントローラ３３は、このようにして各センサコード情報を順次リクエスト信号の送信とともに各センサコントローラ４１に送信し、これら各センサコントローラ４１からその応答として順次送信されてくる探索信号を逐次受信する。
【００５０】
なお、メインコントローラ３３は、非対応機の探索処理を開始後、最初（１回目）のリクエスト信号を送信し、２回目以降のリクエスト信号については、前回のリクエスト信号の応答としての探索信号をセンサコントローラ４１から受信した後に送信する。この場合、各コントローラ３３，４１間における信号のやりとり（リクエスト信号及び探索信号の送信）が複数箇所で同時に行われるのを回避することができるため、複数の探索信号同士の電波干渉を防止することができる。
【００５１】
メインコントローラ３３は、通信部３４により受信される信号の処理を行う信号処理回路４７を備えている。本実施形態では、信号処理回路４７による信号処理により受信信号の波形を取得することとしている。センサコントローラ４１からの探索信号が通信部３４により受信されると、都度その受信された探索信号が信号処理回路４７により処理される。メインコントローラ３３は、この処理結果に基づいて建物１０内における携帯電話機４５の位置を検出する。ここで、図３を用いて、携帯電話機４５の位置検出処理の内容について説明する。なお、図３は各信号の波形を示す図である。
【００５２】
図３（ａ）に示すように、センサコントローラ４１より送信される探索信号の送信時における波形は正弦波である。ここで、探索信号の送信元であるセンサコントローラ４１と受信元であるメインコントローラ３３との間又はその周辺において、携帯電話機４５等周囲に電波信号を発するものが存在していない場合には、探索信号は他の信号による重畳を受けることがない。そのため、メインコントローラ３３により受信される探索信号の波形は、図３（ａ）に示す正弦波のままとなることが考えられる。一方、センサコントローラ４１とメインコントローラ３３との間又はその周辺に携帯電話機４５が存在している場合には、携帯電話機４５から送信される電波信号（図３（ｂ）参照）が探索信号に重畳する（探索信号と電波干渉する）ことが想定される。この場合、メインコントローラ３３により受信される探索信号の波形には、携帯電話機４５からの電波信号が外乱情報として含まれる。そのため、同コントローラ３３により受信される探索信号の波形は、図３（ｃ）に示すように正弦波に対して歪むことが考えられる。
【００５３】
そこで、本実施形態では、信号処理回路４７の処理結果に基づいて、メインコントローラ３３により受信された各探索信号のうちでその波形に歪みが生じているものがあれば、その歪みが生じた探索信号を送信したセンサコントローラ４１とメインコントローラ３３との間又はその周辺に携帯電話機４５が存在していると判定することとしている。具体的には、メインコントローラ３３の記憶部３３ａには、探索信号の送信時における波形データ（図３（ａ）の波形データ）が予め基準データとして記憶されており、メインコントローラ３３は信号処理回路４７による信号処理により得られた探索信号の波形データが前記基準データと一致しているか否かを判定し、その判定結果に基づいて建物１０内における携帯電話機４５の位置を検出する。
【００５４】
次に、本防犯システム２０において実施される探索制御処理について説明する。ここでは、対応機としての電子キー２４の探索を行う対応機探索処理と、非対応機としての携帯電話機４５の探索を行う非対応機探索処理とについて説明する。
【００５５】
まず、対応機探索処理について図４に示すフローチャートに基づいて説明する。対応機探索処理は、メインコントローラ３３によって実行される処理と、センサコントローラ４１によって実行される処理とからなる。そこでまず、メインコントローラ３３によって実行される処理について図４（ａ）に示すフローチャートに基づいて説明する。なお、本処理は、モード切替スイッチ３５ａにより探索モードに設定され、かつ、その設定状態において対応機ボタン３５ｂが操作されたことをトリガとして開始される。
【００５６】
ステップＳ１１では、各センサコントローラ４１に対して対応機探索開始信号を送信する。これにより、各センサコントローラ４１により同信号が受信されると、各センサコントローラ４１では探索モードへの移行が行われるとともに対応機探索処理が開始される。
【００５７】
ステップＳ１２では、探索モードへの移行後において、センサコントローラ４１から送信されるセンサコード信号を受信したか否かを判定する。センサコード信号を受信していない場合には、建物１０内に電子キー２４が存在していないと判断することができるため、ステップＳ１５に進み、表示部３６によりその旨を報知する。具体的には、表示部３６のすべての発光部３６ａを点滅させることでその旨を報知する。これにより、電子キー２４が建物１０内にないことをユーザに知らせることができるため、電子キー２４が建物１０内にないにもかかわらず無駄に探し回る手間を回避することができる。一方、センサコード信号を受信した場合には、ステップＳ１３に進む。
【００５８】
ステップＳ１３では、ステップＳ１２において受信したセンサコード信号に基づいて、電子キー２４の位置検出処理を実行する。位置検出処理では、受信したセンサコード信号が記憶部３３ａに記憶されている各センサコード情報のうちどのセンサコード情報に対応したものであるかを、すなわちセンサコード信号がいずれのセンサ装置３１（センサ通信部４２）より送信されたのかを判定し、その判定結果に基づいて電子キー２４が建物１０内においてどのセンサ装置３１の付近にあるのかを検出する。
【００５９】
ステップＳ１４では、ステップＳ１３において検出した電子キー２４の位置に基づいて、表示部３６により電子キー２４の位置を報知する。ここでは、受信したセンサコード信号に基づいて、表示部３６における各発光部３６ａのうち、そのセンサコード信号に対応付けられたセンサ装置３１に対応する発光部３６ａを点滅させる。つまり、この場合、電子キー２４の近くのセンサ装置３１に対応する発光部３６ａを点滅させることができる。これにより、リビング１３にいるユーザに電子キー２４の在りかを知らせることができる。
【００６０】
上記一連の処理の後、ユーザによりモード切替スイッチ３５ａによる通常モードへの切替操作が行われると、メインコントローラ３３は表示部３６の各発光部３６ａの点滅を停止し、通常モードへ移行する。その後、メインコントローラ３３から各センサコントローラ４１に通常モード信号が送信される。
【００６１】
次に、各センサコントローラ４１によってそれぞれ実行される対応機探索処理について図４（ｂ）に示すフローチャートに基づいて説明する。なお、本処理は、メインコントローラ３３より送信される対応機探索開始信号を受信したことをトリガとして開始される。また、本処理の開始とともに各センサコントローラ４１は、探索モードに移行する。
【００６２】
まずステップＳ２１では、電子キー２４に対しリクエスト信号を送信する。
【００６３】
ステップＳ２２では、リクエスト信号の応答として電子キー２４よりＩＤコード信号を受信したか否かを判定する。ＩＤコード信号を受信した場合には、ステップＳ２３に進み、電子キー２４が本探索制御を実行しているセンサ装置３１の近く（詳細にはセンサ通信部４２の通信エリア）にあることを検出する。
【００６４】
続くステップＳ２４では、表示灯４４に点滅信号を出力し、表示灯４４を点滅させる。この場合、各表示灯４４のうちで最も電子キー２４の近くに位置する表示灯４４が点滅することとなるため、ユーザに電子キー２４の在りかを知らせることができる。
【００６５】
ステップＳ２５では、センサコード信号をメインコントローラ３３に対して送信する。この場合、センサコード信号がメインコントローラ３３により受信されると、メインコントローラ３３ではそのセンサコード信号に基づいて電子キー２４の位置が検出され、その検出位置が表示部３６により報知される（図４（ａ）のステップＳ１３，Ｓ１４）。
【００６６】
上記一連の処理の後、メインコントローラ３３から送信される通常モード信号がセンサコントローラ４１により受信されると、センサコントローラ４１は、表示灯４４を消灯し、通常モードへ移行する。
【００６７】
以上が、対応機探索処理における制御の流れである。
【００６８】
次に、非対応機探索処理について図５に示すフローチャートに基づいて説明する。非対応機探索処理は、前述した対応機探索処理と同様、メインコントローラ３３によって実行される処理と、センサコントローラ４１によって実行される処理とからなる。そこでまず、メインコントローラ３３によって実行される処理について図５（ａ）に示すフローチャートに基づいて説明する。なお、本処理は、モード切替スイッチ３５ａにより探索モードに設定され、かつ、その設定状態において非対応機ボタン３５ｃが操作されたことをトリガとして開始される。
【００６９】
まずステップＳ３１では、通信部３４より非対応機探索開始信号を送信する。これにより、各センサコントローラ４１側では探索モードへの移行が行われるとともに非対応機探索処理が開始される。
【００７０】
ステップＳ３２〜Ｓ３４では、所定のセンサコード情報を含むリクエスト信号を各センサコントローラ４１に送信する送信処理と、リクエスト信号の応答として各センサコントローラ４１から送信される探索信号を受信し、同信号の電波波形を取得する取得処理とを実行する。これらの処理は、各センサコントローラ４１に対して順次行われる。
【００７１】
まずステップＳ３２では、リクエスト信号を各センサコントローラ４１に送信する。このリクエスト信号には、各センサ装置３１のうちいずれかのセンサ装置３１に対応するセンサコード情報が含まれている。そのため、実際には当該センサ装置３１（センサ通信部４２）に向けてリクエスト信号が送信されることとなる。
【００７２】
ステップＳ３３では、リクエスト信号の応答としてセンサコントローラ４１より送信される探索信号を受信する。この場合、ステップＳ３２において送信したセンサコード情報に対応するセンサコントローラ４１より探索信号が送信される。そして、本ステップではさらに、信号処理回路４７による処理結果に基づいて、受信した探索信号の電波波形データを取得する。
【００７３】
ステップＳ３４では、全てのセンサコントローラ４１からの探索信号について電波波形データを取得したか否かを判定する。いずれかのセンサコントローラ４１からの探索信号について電波波形データを取得していない場合には、全てのセンサコントローラ４１からの探索信号について電波波形データを取得するまでステップＳ３２〜Ｓ３４の処理を繰り返す。一方、全てのセンサコントローラ４１からの探索信号について電波波形データを取得した場合には、ステップＳ３５に進む。
【００７４】
ステップＳ３５では、ステップＳ３３において取得した電波波形データに基づいて、携帯電話機４５の位置検出処理を実行する。この位置検出処理では、携帯電話機４５が建物１０内にあるか否かを判定するとともに、建物１０内にある場合には携帯電話機４５が建物１０内においてどの位置にあるのかを検出する。例えば、各電波波形データが記憶部３３ａに記憶されている基準データとすべて一致している場合には、建物１０内に携帯電話機４５がないと判定される。また、取得した各電波波形データのうちいずれかの波形データが基準データと相違している場合には、その相違する波形データに対応する探索信号を送信したセンサ装置３１と防犯管理装置３０との間又はその周辺に携帯電話機４５が存在していると判定する。なおここで、隣り合う二つのセンサ装置３１より送信された各探索信号についてそれぞれの波形データがともに基準データと相違している場合には、携帯電話機４５がこれら各センサ装置３１のいずれからもほぼ同じ距離に位置していると判定される。例えば、各センサ装置３１と防犯管理装置３０とを結んで形成される三角エリアのほぼ中央位置に携帯電話機４５が存在している場合にこのような判定がなされる。
【００７５】
ステップＳ３６では、ステップＳ３５における携帯電話機４５の位置検出結果に基づいて、携帯電話機４５が建物１０内に存在しているか否かを判定する。建物１０内に携帯電話機４５が存在していない場合には、ステップＳ３９に進み、表示部３６にその旨を報知する。具体的には、表示部３６のすべての発光部３６ａを点滅させることによりその旨を報知する。これにより、携帯電話機４５が建物１０内にないことをユーザに知らせることができるため、携帯電話機４５が建物１０内に無いにもかかわらず無駄に探し回る手間を回避することができる。建物１０内に携帯電話機４５が存在している場合には、ステップＳ３７に進む。
【００７６】
ステップＳ３７では、ステップＳ３５において検出した携帯電話機４５の位置に基づいて、表示部３６に携帯電話機４５の位置を表示させる。具体的には、表示部３６における各発光部３６ａのうち、基準データと相違する波形データが検出された探索信号を送信したセンサ装置３１に対応する発光部３６ａを発光させる。この場合、携帯電話機４５の近くのセンサ装置３１に対応する発光部３６ａを発光させることができるため、リビング１３にいるユーザに携帯電話機４５の在りかを知らせることができる。
【００７７】
ステップＳ３８では、ステップＳ３５において検出した携帯電話機４５の位置に基づいてセンサコード信号を送信する。このセンサコード信号は、基準データと相違する波形データが検出された探索信号を送信したセンサ装置３１に対応するものである。つまり、ここでは携帯電話機４５の近くのセンサ装置３１に対応したセンサコード信号が送信される。なお、上記ステップＳ３５において隣り合う二つのセンサ装置３１から送信された各探索信号についてそれぞれ基準データと相違する波形データが検出された場合には、それら各センサ装置３１に対応する各々のセンサコード信号を送信する。
【００７８】
上記一連の処理の後、ユーザによりモード切替スイッチ３５ａによる通常モードへの切替操作が行われると、メインコントローラ３３は表示部３６の各発光部３６ａの点滅を停止し、通常モードへ移行する。その後、メインコントローラ３３から各センサコントローラ４１に通常モード信号が送信される。
【００７９】
次に、センサコントローラ４１によって実行される非対応機処理について図５（ｂ）に示すフローチャートに基づいて説明する。なお、本処理は、メインコントローラ３３より送信される非対応機探索開始信号を受信したことをトリガとして開始される。また、本処理の開始とともに各センサコントローラ４１は、探索モードに移行する。
【００８０】
まず、ステップＳ４１では、メインコントローラ３３より送信されるリクエスト信号を受信したか否かを判定する。リクエスト信号を受信していない場合には、リクエスト信号を受信するまで本判定を繰り返す。リクエスト信号を受信した場合には、ステップＳ４２に進む。
【００８１】
ステップＳ４２では、受信したリクエスト信号に含まれるセンサコード情報が記憶部４１ａに記憶されているセンサコード情報と一致しているか否かを判定する。リクエスト信号に含まれているセンサコード情報が記憶部４１ａに記憶されているセンサコード情報と一致していない場合には、一致するまでステップＳ４１及びステップＳ４２を繰り返す。一方、一致している場合にはステップＳ４３に進む。
【００８２】
ステップＳ４３では、メインコントローラ３３に対し探索信号を送信し、続くステップＳ４４では、メインコントローラ３３から送信されるセンサコード信号を受信したか否かを判定する。センサコード信号を受信した場合には、ステップＳ４５に進み、受信したセンサコード信号が記憶部４１ａに記憶されているセンサコード情報と一致しているか否かを判定する。受信したセンサコード信号が記憶部４１ａに記憶されているセンサコード情報と一致している場合には、ステップＳ４６に進み、携帯電話機４５が本センサ装置３１（本探索制御を実行しているセンサ装置３１（センサコントローラ４１）と防犯管理装置３０との間又はその周辺に存在していることを検出する。
【００８３】
続くステップＳ４７では、表示灯４４に点滅信号を出力し、表示灯４４を点滅させる。この場合、携帯電話機４５の付近で表示灯４４が点滅するため、ユーザに携帯電話機４５の在りかを知らせることができる。なおここで、上記ステップＳ４４，Ｓ４５において隣り合う各センサ装置３１によりそれぞれ正規のセンサコード信号が受信されている場合には、携帯電話機４５の比較的近くに位置する２箇所の表示灯４４が点滅する。この場合、各センサ装置３１の中間位置に携帯電話機４５があることをユーザに知らせることができる。
【００８４】
上記一連の処理の後、メインコントローラ３３から送信される通常モード信号がセンサコントローラ４１により受信されると、センサコントローラ４１は、表示灯４４を消灯し、通常モードへ移行する。
【００８５】
以上が、非対応機探索制御処理における制御の流れである。
【００８６】
以上、詳述した本実施形態の構成によれば、以下の優れた効果が得られる。
【００８７】
一般に、信号の送受信が行われている両通信部の間及びその周辺に携帯電話機４５が存在している場合には、当該信号と携帯電話機４５から送信される信号の電波干渉が生じ、両通信部のうち受信側で受信された受信信号には外乱情報が含まれることが想定される。そこで、本実施形態では、その点に着目し、センサ通信部４２より通信部３４に送信される探索信号を信号処理回路４７により処理するとともに、その処理結果に基づいて探索信号が携帯電話機４５から送信される信号と電波干渉しているか否かを判定することとした。これにより、電波干渉していることが判定された場合には、各通信部３４，４２の間に携帯電話機４５が存在することを検出することができるため、建物１０内に放置等された携帯電話機４５を好適に探し出すことができる。
【００８８】
具体的には、通信部３４を取り囲むようにして建物１０の複数箇所にセンサ通信部４２を設けるとともに、各センサ通信部４２から通信部３４に送信される各探索信号を信号処理回路４７により処理し、それら処理結果に基づいて各探索信号について上記電波干渉の有無の判定を実施した。この場合、いずれのセンサ通信部４２より送信された探索信号が携帯電話機４５から送信された信号と電波干渉しているのかを判定することで、通信部３４といずれのセンサ通信部４２との間に携帯電話機４５が存在しているのかを検出することができる。これにより、建物１０内における携帯電話機４５の在りかを具体的につきとめることができる。
【００８９】
各センサ通信部４２は建物１０の外周部に設けられた各建物開口部１８付近に設置されているため、各センサ通信部４２からの探索信号が建物１０の外周部より通信部３４に向けて送信される。そのため、建物１０内におけるほぼ全域を探索対象として携帯電話機４５を探索することができる。
【００９０】
電子キー２４と通信可能とされているセンサ通信部４２を建物１０内の複数箇所に設け、それら各センサ通信部４２により電子キー２４から受信したＩＤコード信号に基づいて、電子キー２４の位置を検出するようにした。具体的には、ＩＤコード信号がいずれのセンサ通信部４２により受信されたかに基づいて電子キー２４の位置を検出することとした。これにより、建物１０内に放置等された電子キー２４を好適に探し出すことができる。
【００９１】
建物１０の各建物開口部１８付近に設けられたセンサ装置３１において、人検知センサ４３とともに設けられ、同センサ４３の検知結果を防犯管理装置３０に送信するセンサ通信部４２を用いて、電子キー２４及び携帯電話機４５の探索処理を行う構成とした。したがって、例えば防犯システム２０（センサ通信部４２）が建物１０に既設されている場合には、それを利用して探索システムを構築できるため、上記効果を簡易な構成で実現できる。また、通常は、異常時においてしか使用されることのないセンサ通信部４２を有効利用することもできる。
【００９２】
センサコントローラ４１により検出された電子キー２４の検出位置に基づいて、建物１０内の複数箇所に設けられた各表示灯４４のうちで、最も電子キー２４の近くに位置する表示灯４４を点滅させることとした。これにより、ユーザは電子キー２４の在りかを容易に知ることができる。
【００９３】
携帯電話機４５が隣り合う二つのセンサ装置３１の中間位置にあることが検出された場合には、建物１０内の複数箇所に設けられた各表示灯４４のうちで、携帯電話機４５から比較的近くに位置する二つの表示灯４４を点滅させることとした。これにより、これら各表示灯４４の間又はその周辺に携帯電話機４５があると特定することができるため、ユーザは携帯電話機４５の在りかを容易に知ることができる。
【００９４】
電子キー２４又は携帯電話機４５（以下、電子キー２４等という）が建物１０内において検出されなかった場合には、表示部３６のすべての発光部３６ａを点滅させることにより、電子キー２４等が建物１０内に無い旨を報知させることとした。これにより、電子キー２４等が建物１０内にないにもかかわらず無駄に探し回る手間を回避することができる。
【００９５】
モード切替スイッチ３５ａにより制御モードが探索モードに設定されたことを条件として、電子キー２４等の探索処理を実行することとした。これにより、防犯制御が実行される通常モード時において、突然探索処理が実行されるのを回避することができる。これにより、防犯システム２０に探索処理機能を付加した場合でも、防犯性を確保することができる。
【００９６】
対応機の探索と非対応機の探索とを個別に実施できるようにした。この場合、対応機の探索処理を実行すれば電子キー２４に対象を絞って探索することができるため、建物１０内に複数の通信機が放置等されている場合でも電子キー２４を容易に探し出すことができる。
【００９７】
本発明は上記実施形態に限らず、例えば次のように実施されてもよい。
【００９８】
（１）メインコントローラ３３により受信される信号について、所定の周波数域の信号を抽出するフィルタ部をメインコントローラ３３に設け、そのフィルタ部による信号抽出結果に基づいて携帯電話機４５の探索を行ってもよい。具体的には、例えば、フィルタ部により抽出する信号の周波数域を携帯電話機４５の信号周波数を含むように設定することで、各センサコントローラ４１からメインコントローラ３３に送信される探索信号に携帯電話機４５からの信号が重畳した場合に、同探索信号に重畳した携帯電話機４５の信号がフィルタ部により抽出されるようにする。そして、メインコントローラ３３では、フィルタ部により同信号が抽出された場合に限って、探索処理が実行されるようにする。そうすれば、複数種の非対応機が建物１０内に放置等されている場合でも、携帯電話機４５に対象を絞って探索することができる。
【００９９】
また、非対応機の探索処理を実行する場合、上記フィルタ部による信号抽出結果に基づいて、つまり上記フィルタ部により抽出された信号の周波数に基づいて、探索された非対応機の種別を特定するようにしてもよい。そうすれば、建物１０内に携帯電話機４５の他に非対応機が放置されている場合に、携帯電話機４５が探索されたのかそれとも他の非対応機が探索されたのかを判別することができる。
【０１００】
（２）上記実施形態では、対応機の探索と非対応機の探索とを個別に実施する構成としたが、これらの区別なしに探索を実施してもよい。また、非対応機の探索のみを実施する構成としてもよい。かかる構成としても、電子キー２４から送信される信号が探索信号に重畳すれば、対応機である電子キー２４を探索することが可能である。
【０１０１】
（３）上記実施形態では、メインコントローラ３３において携帯電話機４５の探索処理を実施する構成としたが、携帯電話機４５の探索処理をセンサコントローラ４１側で実施する構成としてもよい。具体的には、例えば各センサ装置３１にそれぞれ信号処理回路を設け、メインコントローラ３３から送信される信号を各センサコントローラ４１により受信するとともに、その受信した信号を各々の信号処理回路により処理することが考えられる。この場合、各センサコントローラ４１にてそれぞれ上記処理回路による処理結果に基づいて、受信した信号について電波干渉の有無を判定すれば、その判定に基づいて携帯電話機４５を探索することができる。
【０１０２】
（４）上記実施形態では、非対応機探索処理の実行時において、メインコントローラ３３よりセンサコード情報を含むリクエスト信号を各センサコントローラ４１に送信し、各センサコントローラ４１はそのセンサコード情報に基づいて認証を行ったことを条件としてメインコントローラ３３に探索信号を送信する構成としたが、これを変更して、センサコントローラ４１が上記認証を行わないで探索信号をメインコントローラ３３に送信する構成としてもよい。この場合、メインコントローラ３３より（センサコード情報を含まない）リクエスト信号を各センサコントローラ４１に送信し、各センサコントローラ４１によりリクエスト信号が受信されると、各センサコントローラ４１が同時に探索信号をメインコントローラ３３に送信するようにしてもよい。しかしながら、このとき各探索信号同士が重畳するおそれがあるため、探索信号の電波波形に乱れが生じた（探索信号に電波干渉が生じた）場合に、その乱れが携帯電話機４５の信号の重畳に起因したものなのかあるいは他の探索信号の重畳に起因したものなのか判別に困ることが考えられる。そこで、その点を鑑みて、予め建物１０内に携帯電話機４５が無い条件下で各センサコントローラ４１より探索信号を同時送信し、それら各探索信号をメインコントローラ３３により受信することで、各受信信号の電波波形を基準データとして取得して記憶部３３ａに記憶しておくのがよい。そうすれば、探索信号同士が重畳する場合でも、受信した探索信号の波形データをその基準データと比較することで、携帯電話機４５の存在の有無を判定することができる。
【０１０３】
さらに、上記認証を行わないで探索信号を送信する構成とする場合、センサ装置３１にセンサコントローラ４１を設けない構成としてもよい。具体的には、センサ装置３１には、メインコントローラ３３からの指令信号に応答し、探索信号を送信する機能を設けておけばよい。
【０１０４】
（５）各センサ装置３１ごとに異なる周波数で探索信号を送信するようにしてもよい。この場合、探索信号を受信するメインコントローラ３３側では、探索信号の周波数に基づいて、いずれのセンサ装置３１より送信された探索信号であるのかを判別することができる。
【０１０５】
（６）上記実施形態では、防犯センサとしての人検知センサ４３を建物１０の外周部（各建物開口部１８の付近）に設置する構成としたが、人検知センサ４３は必ずしも建物１０の外周部に設置する必要はなく、建物１０内におけるその他の箇所に設置してもよい。また、上記実施形態では、防犯センサとして人検知センサ４３を設けたが、防犯センサは必ずしも人検知センサ４３である必要はなく、窓の施解錠状態を検知する施解錠センサ等その他のセンサであってもよい。
【０１０６】
（７）表示灯４４の点滅による電子キー２４等の位置の報知を開始してから所定時間が経過した場合に、表示灯４４の発光態様を変更してもよい。具体的には、例えば位置の報知を開始してから所定時間が経過した場合に、表示灯４４の点滅速度を速くしたり表示灯４４から発せられる光の色を変えたりすること等が考えられる。これにより、早期に電子キー２４等を探し出すことをユーザに促すことができる。また、センサ装置３１にスピーカ等を設け、上記所定時間が経過した場合にスピーカから音声を発するようにしても、同様の効果が得られる。
【０１０７】
（８）上記実施形態では、防犯システム２０を用いて電子キー２４等の探索システムを構築したが、必ずしも防犯システム２０を用いて構築する必要はなく、電子キー２４等の探索専用の探索システムとしてもよい。
【０１０８】
（９）上記実施形態では、メインコントローラ３３により受信した探索信号について、信号処理回路４７による信号処理を実施し、その処理結果に基づいて携帯電話機４５の位置検出を行う構成としたが、これを変更してもよい。例えば、防犯管理装置３０に、メインコントローラ３３により受信される信号の電界強度（電波の強さ）を検知する電界強度センサを設け、メインコントローラ３３により受信した探索信号の電界強度を同センサにより検知するとともに、その検知結果に基づいて携帯電話機４５の位置検出を行うようにしてもよい。この場合においても、探索信号が携帯電話機４５からの信号と電波干渉をしているか否かを判定することができるため、携帯電話機４５の位置検出を行うことができる。
【符号の説明】
【０１０９】
１０…建物、１８…開口部としての建物開口部、２０…防犯システム、２４…移動通信装置としての電子キー、３０…防犯管理装置、３１…センサ装置、３３…探索手段としてのメインコントローラ、３４…第１通信部としての通信部、３５ａ…モード切替手段としてのモード切替スイッチ、４１…センサコントローラ、４２…第２通信部としてのセンサ通信部、４３…防犯センサとしての人検知センサ、４４…報知手段としての表示灯、４５…移動通信装置としての携帯電話機。
【図１】
2010266914.tif 000003
【図２】
2010266914.tif 000004
【図３】
2010266914.tif 000005
【図４】
2010266914.tif 000006
【図５】
2010266914.tif 000007